(57)【要約】      （修正有）【課題】複数の無線ユニット（各無線ユニットはそれぞれの地理的なカバレッジエリアを持つ）と１つ以上のユーザ装置との間の無線伝送を統合するためのコントローラを提供する。【解決手段】コントローラは、各無線ユニットに当該無線ユニットのそれぞれの地理的なカバレッジエリア上でパイロット信号（当該パイロット信号は、無線ユニットのカバレッジエリア内に配置されている各ユーザ装置から応答信号を引き出すように設計されている）をブロードキャストするよう信号を送るための第１のモジュールと、それぞれの無線ユニットが応答信号を受信したユーザ装置を特定する情報を各無線ユニットから受信するための第２のモジュールとを備える。コントローラは、無線ユニットから受信された情報を用いていずれのユーザ装置が各無線ユニットのレンジ内に配置されているかを判定するように構成されている。【選択図】図１
2014090406.tif 000002
【特許請求の範囲】
【請求項１】
複数の無線ユニット（各無線ユニットはそれぞれの地理的なカバレッジエリアを持つ）と１つ以上のユーザ装置との間の無線伝送を統合するためのコントローラであって、
前記コントローラは、
各無線ユニットのそれぞれの地理的なカバレッジエリア上でパイロット信号（当該パイロット信号は、前記無線ユニットのカバレッジエリア内に配置されている各ユーザ装置から応答信号を引き出すように設計されている）をブロードキャストするよう各無線ユニットに信号を送るための第１のモジュールと、
それぞれの前記無線ユニットが応答信号を受信したユーザ装置を特定する情報を各無線ユニットから受信するための第２のモジュールと
を具備し、
前記コントローラは、前記無線ユニットから受信された前記情報を用いていずれのユーザ装置が各無線ユニットのレンジ内に配置されているかを判定するように構成されている、
コントローラ。
【請求項２】
前記コントローラは、ユーザ装置毎に、前記ユーザ装置がレンジ内に存在する無線ユニットを判定し、前記ユーザ装置からの当該無線ユニットの距離に関して当該無線ユニットをランク付けするように構成されている、請求項１のコントローラ。
【請求項３】
前記コントローラは、ユーザ装置毎に、前記無線ユニットが前記ユーザ装置から受信する応答信号の１つ以上の特性に基づいてそれぞれの無線ユニットのランキング内の順位を判定するように構成される、請求項２のコントローラ。
【請求項４】
前記特性は、それぞれの前記無線ユニットが前記ユーザ装置から受信する前記応答信号の強度を含む、請求項３のコントローラ。
【請求項５】
前記ユーザ装置がそれぞれの前記無線ユニットへ送信する前記応答信号は、当該ユーザ装置が前記無線ユニットから受信した前記パイロット信号の強度の表示を含み、
前記コントローラは、前記応答信号内で示される前記パイロット信号の前記強度に基づいて前記無線ユニットのランキング内の順位を判定するように構成されている、
請求項３または４のコントローラ。
【請求項６】
前記特性は、それぞれの前記無線ユニットからのパイロット信号の送信と前記無線ユニットにおける前記応答信号の受信との間の時間の遅延を含む、請求項３乃至５のいずれか１項のコントローラ。
【請求項７】
前記コントローラは、前記無線ユニットから受信された前記情報を用いて各無線ユニットへ１つ以上のリソースブロックを割り当てるように構成されている、請求項１乃至６のいずれか１項のコントローラ。
【請求項８】
前記コントローラは、新たなパイロット信号をブロードキャストするよう前記無線ユニットに定期的に要求し、その後に各無線ユニットから更新された情報を受信するように構成されていて、
前記コントローラは、前記更新された情報に基づいて前記リソースブロックを再割り当てするように構成されている、
請求項７のコントローラ。
【請求項９】
前記コントローラは、各無線ユニット及び当該無線ユニットに現在割り当てられているリソースブロックのリストを備えるリソース割り当てマトリクスを生成するように構成されている、請求項７または８のコントローラ。
【請求項１０】
前記コントローラは、１つ以上のハブユニットを介して、前記無線ユニットに情報を送信し、前記無線ユニットから情報を受信するように構成されている、請求項１乃至９のいずれか１項のコントローラ。
【請求項１１】
複数の無線ユニット（各無線ユニットはそれぞれの地理的なカバレッジエリアを持つ）と１つ以上のユーザ装置との間の無線伝送を統合する方法であって、
前記方法は、
各無線ユニットからそれぞれのパイロット信号（当該パイロット信号は、それぞれの前記無線ユニットのカバレッジエリア内に配置されている前記ユーザ装置から応答信号を引き出すように設計されている）をブロードキャストすることと、
各無線ユニットからコントローラへ情報（当該情報は、それぞれの前記無線ユニットが応答信号を受信した前記ユーザ装置を特定する）を送信することと、
前記コントローラにおいて、各無線ユニットのレンジ内に配置されている前記ユーザ装置を判定することと
を具備する、
方法。
【請求項１２】
ユーザ装置毎に、前記ユーザ装置がレンジ内に存在する前記無線ユニットを判定することと、
前記ユーザ装置からの当該無線ユニットの距離に関して当該無線ユニットをランク付けすることと
を具備する、請求項１１の方法。
【請求項１３】
個々のそれぞれの無線ユニットのランキング内の順位は、前記無線ユニットが前記ユーザ装置から受信する前記応答信号の１つ以上の特性に基づいて判定される、請求項１２の方法。
【請求項１４】
前記特性は、それぞれの前記無線ユニットが前記ユーザ装置から受信する前記応答信号の強度を含む、請求項１３の方法。
【請求項１５】
前記ユーザ装置がそれぞれの前記無線ユニットへ送信する前記応答信号は、当該ユーザ装置が前記無線ユニットから受信した前記パイロット信号の強度の表示を含み、
前記方法は、前記応答信号内で示される前記パイロット信号の前記強度に基づいて前記無線ユニットのランキング内の順位を判定することを具備する、
請求項１３または１４の方法。
【請求項１６】
前記特性は、それぞれの前記無線ユニットからのパイロット信号の送信と前記無線ユニットにおける前記応答信号の受信との間の時間の遅延を含む、請求項１３乃至１５のいずれか１項の方法。
【請求項１７】
前記コントローラにおいて前記無線ユニットから受信される前記情報は、各無線ユニットへ１つ以上のリソースブロックを割り当てるために用いられる、請求項１１乃至１６のいずれか１項の方法。
【請求項１８】
前記コントローラは、新たなパイロット信号をブロードキャストするよう前記無線ユニットに定期的に要求し、その後に各無線ユニットから更新された情報を受信し、
前記リソースブロックは、前記更新された情報に基づいて再割り当てされる、
請求項１７の方法。
【請求項１９】
各無線ユニット及び各無線ユニットへ現在割り当てられているリソースブロックのリストを備えるリソース割り当てマトリクスを生成することを具備する、請求項１７または１８の方法。
【発明の詳細な説明】
【技術分野】
【０００１】
ここに記述される実施形態は、複数の無線ユニットと１つ以上のユーザ装置との間の無線伝送を統合するためのコントローラに関する。
【背景技術】
【０００２】
統合アンテナ基地局（ＣｏＡＢ；Ｃｏｏｒｄｉｎａｔｅｄ  Ａｎｔｅｎｎａ  Ｂａｓｅ−ｓｔａｔｉｏｎ）システムは、広い屋内環境（例えば、複数フロアを備えるオフィスビル、ショッピングモールなど）において改善されたセルラカバレッジ及び容量を提供できる。典型的なＣｏＡＢ配置は、マスタユニット（ＭＵ、例えばビル毎に１つ）と複数のハブユニット（ＨＵ、フロア毎に１つ）とを備える。各ハブユニットＨＵは、複数のリモートユニット（ＲＵ）と通信してもよい（１フロアに配置される多数のＲＵが存在していて、各ＲＵはＨＵによってユニークに識別可能である）。各ＨＵ（及び当該ＨＵに接続するＲＵ）において全体の周波数帯を再利用することは、より良いカバレッジ及び容量のための余地を提供する。しかしながら、ＲＵ間の干渉は、慎重に管理される必要がある。
【０００３】
従来のセルラシステムにおいて、リソース割り当ては、考慮中のサブキャリアの最高のチャネル品質表示ＣＱＩでユーザ装置（ＵＥ）に排他的に各サブキャリアを割り当てることによって総スループットを最大化することを目的とする。しかしながら、係る割り当ての複雑性は、サブキャリア数に比例する。例えばＬＴＥシステムにおける多数のサブキャリアを仮定すると、係る割り当ての複雑性は非常に高くなるかもしれない。１つの解決法は、サブキャリアベースではなく塊（即ち、サブキャリアのセット、リソースブロックＲＢとしても言及される）で、ユーザ装置により報告されるＣＱＩ状態に基づいて端末にリソースを割り当てることである。しかしながら、係るアプローチは、ユーザ装置のローカルネットワーク近隣(local network neighborhood)を考慮せず、２つの近接配置されたユーザ装置が同様のリソースブロックを割り当てら得る可能性を許容し、干渉のリスクをもたらす。
【発明の概要】
【０００４】
（関連出願の相互参照）  
この出願は、２０１２年９月１８日に出願された英国特許出願第１２１６６５２．６号に基づいており、かつ、この優先権の利益を主張するものであって、これの全内容は参照によってここに組み込まれる。
【図面の簡単な説明】
【０００５】
【図１】図１は、実施形態に係るコントローラを含む統合アンテナ基地局（ＣｏＡＢ）システムを示す。
【図２】図２は、図１のシステムによって使用される方法の概略図を示す。
【図３】図３は、図１の無線ユニットから送信されるパイロット信号がどのように互いに時間に関してオフセットされ得るかの概略図を示す。
【図４】図４は、実施形態に係る、図１のコントローラによって受信されるデータが各ユーザ装置と無線ユニットとの間の相対距離を判定するために使用されるテーブルを示す。
【図５】図５は、図１の統合アンテナ基地局（ＣｏＡＢ）システムのためのリソース割り当てマトリクスの一例を示す。
【図６】図６は、実施形態に係るコントローラ（コントローラは、複数のハブユニットを介して複数の無線ユニットと通信する）を含む統合アンテナ基地局（ＣｏＡＢ）システムを示す。
【図７】図７は、図６のユーザ装置から送信される応答信号においてエンコードされている情報の受信時にコントローラによって編集されるテーブルの一例を示す。
【図８】図８は、図６の統合アンテナ基地局（ＣｏＡＢ）システムのためのリソース割り当てマトリクスの一例を示す。
【発明を実施するための形態】
【０００６】
第１の実施形態は、複数の無線ユニット（各無線ユニットはそれぞれの地理的なカバレッジエリアを持つ）と１つ以上のユーザ装置との間の無線伝送を統合するためのコントローラを提供する。
【０００７】
コントローラは、各無線ユニットにそのそれぞれの地理的なカバレッジエリア上でパイロット信号（パイロット信号は、当該無線ユニットのカバレッジエリア内に配置された各ユーザ装置から応答信号を引き出すように設計されている）をブロードキャストするよう信号を送るための第１のモジュールを備える。
【０００８】
コントローラは、それぞれの無線ユニットが応答信号を受信したユーザ装置を特定する情報を各無線ユニットから受信するための第２のモジュールを備える。
【０００９】
コントローラは、無線ユニットから受信された情報を用いていずれのユーザ装置が各無線ユニットのレンジ内に配置されているかを判定するように構成される。
【００１０】
いくつかの実施形態において、それぞれの無線ユニットからコントローラが受信する情報は、無線ユニットがユーザ装置から受信した応答信号の１つ以上の特性を特定してもよい。
【００１１】
いくつかの実施形態において、コントローラは、ユーザ装置毎に、ユーザ装置がレンジ内に存在する無線ユニットを判定し、それら無線ユニットをユーザ装置からの距離に関してランク付けするように構成される。
【００１２】
いくつかの実施形態において、コントローラは、ユーザ装置毎に、無線ユニットがユーザ装置から受信する無線信号の１つ以上の特性に基づいて、個々のそれぞれの無線ユニットのランキング内の順位を判定するように構成される。
【００１３】
いくつかの実施形態において、上記特性は、それぞれの無線ユニットがユーザ装置から受信する応答信号の強度を含む。いくつかの実施形態において、上記特性は、それぞれの無線ユニットからのパイロット信号の送信と無線ユニットにおける応答信号の受信との間の時間の遅延を含む。
【００１４】
いくつかの実施形態において、ユーザ装置がそれぞれの無線ユニットへ送信する応答信号は、ユーザ装置が無線ユニットから受信したパイロット信号の強度の表示を含む。コントローラは、応答信号内で示されるパイロット信号の強度に基づいて、無線ユニットのランキング内の順位を判定するように構成されてよい。
【００１５】
いくつかの実施形態において、コントローラは、無線ユニットから受信された情報を用いて各無線ユニットへ１つ以上のリソースブロックを割り当てるように構成される。いくつかの実施形態において、各リソースブロックは、１つ以上のサブキャリアのグループを備える。
【００１６】
いくつかの実施形態において、コントローラは、無線ユニットに新たなパイロット信号をブロードキャストするよう定期的に要求し、その後に各無線ユニットから更新された情報を受信するように構成される。コントローラは、更新された情報に基づいてリソースブロックを再割り当てするように構成されてもよい。
【００１７】
いくつかの実施形態において、コントローラは、各無線ユニット及び当該無線ユニットに現在割り当てられているリソースブロックのリストを備えるリソース割り当てマトリクスを生成するように構成される。
【００１８】
いくつかの実施形態において、コントローラは、１つ以上のハブユニットを介して、無線ユニットへ情報を送信し、無線ユニットから情報を受信するように構成される。
【００１９】
別の実施形態は、複数の無線ユニット（各無線ユニットはそれぞれの地理的なカバレッジエリアを持つ）と１つ以上のユーザ装置との間の無線伝送を統合する方法を提供する。
【００２０】
方法は、各無線ユニットからそれぞれのパイロット信号（パイロット信号は、それぞれの無線ユニットのカバレッジエリア内に配置されたユーザ装置から応答信号を引き出すように設計されている）をブロードキャストすることを備える。
【００２１】
方法は、各無線ユニットからコントローラへ情報（情報は、それぞれの無線ユニットが応答信号を受信したユーザ装置を特定する）を送信することを備える。
【００２２】
方法は、各無線ユニットのレンジ内に配置されているユーザ装置をコントローラにおいて判定することを備える。
【００２３】
いくつかの実施形態において、コントローラがそれぞれの無線ユニットから受信する情報は、無線ユニットがユーザ装置から受信した応答信号の１つ以上の特性を特定し得る。
【００２４】
いくつかの実施形態において、方法は、ユーザ装置毎に、ユーザ装置がレンジ内に存在する無線ユニットを判定し、それら無線ユニットをユーザ装置からの距離に関してランク付けすることを備える。
【００２５】
いくつかの実施形態において、それぞれの無線ユニットのランキング内の順位は、無線ユニットがユーザ装置から受信する応答信号の１つ以上の特性に基づいて判定される。
【００２６】
いくつかの実施形態において、特性は、それぞれの無線ユニットがユーザ装置から受信する応答信号の強度を含む。
【００２７】
いくつかの実施形態において、ユーザ装置がそれぞれの無線ユニットへと送信する応答信号は、ユーザ装置が無線ユニットから受信したパイロット信号の強度の表示を含む。方法は、応答信号内で示されるパイロット信号の強度に基づいて無線ユニットのランキング内の順位を判定することを備えてもよい。
【００２８】
いくつかの実施形態において、特性は、それぞれの無線ユニットからのパイロット信号の送信と無線ユニットにおける応答信号の受信との間の時間の遅延を含む。
【００２９】
いくつかの実施形態において、コントローラにおいて無線ユニットから受信される情報は、各無線ユニットへ１つ以上のリソースブロックを割り当てるために用いられる。
【００３０】
いくつかの実施形態において、コントローラは、無線ユニットに新たなパイロット信号をブロードキャストするよう定期的に要求し、その後に各無線ユニットから更新された情報を受信する。リソースブロックは、更新された情報に基づいて再割り当てされてもよい。
【００３１】
いくつかの実施形態において、方法は、各無線ユニット及び各無線ユニットに現在割り当てられているリソースブロックのリストを備えるリソース割り当てマトリクスを生成することを備える。
【００３２】
ここに記述される実施形態は、コントローラにおいて無線ユニットから収集された情報を統合及び維持し、コントローラによって割り当てられるリソースに関係する情報を維持し、他のハブユニットとこの情報を共有する方法を提供する。係る情報（これは、近隣で誰が何を使用しているか、を包含する）は、潜在的な干渉者(interferer)を識別することによって干渉を最小化するためのリソース割り当て／再割り当て過程の中で有用であり得る。
【００３３】
図１は、実施形態に係るコントローラ１を含む統合アンテナ基地局（ＣｏＡＢ）システムを示す。コントローラ１は、ペアの無線ユニットＲＵ１、ＲＵ２からの無線伝送を制御するために用いられる。各無線ユニットは、それぞれの、地理的なカバレッジエリア３、５を持つ。地理的なカバレッジエリアは、無線ユニットからブロードキャストされる無線信号が、閾値強度よりも上のままであり、故にユーザ装置によって検出可能となるであろう、領域を定める。
【００３４】
図１に示されるように、第１のユーザ装置ＵＥ１は第１の無線ユニットＲＵ１のカバレッジエリア内に配置される。第２のユーザ装置ＵＥ２は、第１及び第２の無線ユニットの両方のカバレッジエリア内にある地点に配置される。従って、ＵＥ１は第１の無線ユニットＲＵ１のみからブロードキャストされる信号を検出できるであろうが、ＵＥ２は第１及び第２の無線ユニットの両方からブロードキャストされる信号を検出することができるであろう。
【００３５】
本実施形態において、コントローラは、２つのユーザ装置ＵＥ１及びＵＥ２のどちらが各無線ユニットのレンジ内に存在するかを判定する。コントローラによって行われる方法が図２に概略的に示される。ステップＳ２１において、コントローラは、各無線ユニットにそのそれぞれのカバレッジエリア上でパイロット信号をブロードキャストするよう信号を送る。それから、無線ユニットは、当該無線ユニットのそれぞれのパイロット信号をブロードキャストする（ステップＳ２３ａ、Ｓ２３ｂ）。ユーザ装置がパイロット信号の１つを受信すると、当該ユーザ装置はパイロット信号をデコードして当該信号がブロードキャストされた無線ユニットの正体(identity)を判定する。それから、ユーザ装置はくだんの無線ユニットに応答信号（当該応答信号は、ユーザ装置の識別子を含む）をブロードキャストする。ステップＳ２５ａ、Ｓ２５ｂにおいて、無線ユニットは当該無線ユニットのカバレッジエリア内の１つ以上のユーザ装置から送信された応答信号を受信し、この情報を用いていずれのユーザ装置がレンジ内に現在存在するかを判定する。それから、無線ユニットは、コントローラへこの情報を中継する（ステップＳ２７ａ、Ｓ２７ｂ）。コントローラは、各無線ユニットから受信された情報を編集し、いずれのユーザ装置が各無線ユニットのレンジ内に現在存在するかを判定する。
【００３６】
図１に示される例において、ＵＥ１は第１の無線ユニットのみのレンジ内に配置され、故にＲＵ１からのパイロット信号を検出するであろうがＲＵ２からのパイロット信号を検出しないであろう。対照的に、ユーザ装置ＵＥ２は、両方の無線ユニットから送信されるパイロット信号を検出するであろう。従って、第１の無線ユニットＲＵ１はＵＥ１から応答信号を受信するであろうが、第２の無線ユニットはＵＥ１及びＵＥ２の両方から応答信号を受信するであろう。それから、コントローラは、ＵＥ１が無線ユニット１のレンジ内に存在し、かつ、ＵＥ２がＲＵ１及びＲＵ２の両方のレンジ内に存在する、と判定できるであろう。
【００３７】
いくつかの実施形態において、コントローラは、既定のタイムスロットにパイロット信号を送信するように各無線ユニットを構成してもよい。例えば、図３に示されるように、各無線ユニットは、当該無線ユニットにユニークなタイムスロット７、９に当該無線ユニットのパイロット信号を送信してもよい。
【００３８】
いくつかの実施形態において、それぞれのユーザ装置から無線ユニットへと送信される応答信号は、無線ユニットとくだんのユーザ装置との間の距離を推定するために使用可能な情報も含んでよい。例えば、応答信号は、パイロット信号がユーザ装置によって受信された地点における当該パイロット信号の電力レベルの表示を含んでよい。パイロット信号の電力は、無線ユニットとユーザ装置との間の距離の関数で減少するであろう。故に、ユーザ装置によって受信されたパイロット信号の電力は、無線ユニットからのユーザ装置の距離の表示を提供するであろう。応答信号がこの情報を含むならば、無線ユニット（またはコントローラ）は、無線ユニットとユーザ装置との間の距離を推定できるであろう。
【００３９】
代わりに、または、加えて、無線ユニットまたはコントローラは、ユーザ装置から無線ユニットが受信する応答信号の現実の強度に基づいて無線ユニットとユーザ装置との間の距離を推定してもよい。いくつかの実施形態において、無線ユニットは、パイロット信号の送信とユーザ装置からの応答信号の受信との間の時間遅延に基づいて距離を推定してもよい。
【００４０】
無線ユニットが当該無線ユニットとそれぞれのユーザ装置との間の距離を推定する場合に、無線ユニットはコントローラにその推定値を中継してもよい。代わりに、無線ユニットは、受動モードで機能し、コントローラへ１つ以上の応答信号の詳細を単に中継してもよい。それから、コントローラは、データを処理し、無線ユニットと当該無線ユニットが応答信号を受信した各ユーザ装置との間の距離を推定してもよい。そのようにすることで、無線ユニットの処理負荷を削減できる。
【００４１】
このやり方で、コントローラは、いずれのユーザ装置が各無線ユニットのレンジ内に存在するかを判定できるだけでなく、各ユーザ装置と複数の無線ユニット（これらは接触している）との間の距離に関する情報を得ることもできる。
【００４２】
いくつかの実施形態において、コントローラは、テーブル形式で、無線ユニットから受信する情報を保存してもよい。図４は、図１に示される配置のための係るテーブルの一例を示す。
【００４３】
テーブルは、ＵＥ１がＲＵ１だけのレンジ内に存在するが、ＵＥ２がＲＵ１及びＲＵ２の両方のレンジ内に存在することを示す。加えて、図４のテーブルは、各無線ユニットとユーザ装置との間の距離を推定するために使用可能な種々のデータも含む。図４に示される例において、これらのデータは、ユーザ装置によって受信されるパイロット信号の強度の測定値、それぞれの無線ユニットからのパイロット信号のブロードキャストと各ユーザ装置からの応答信号の受信との間の遅延、ならびに、無線ユニットにおいて受信される応答信号の強度を含む。
【００４４】
第１のユーザ装置ＵＥ１と無線ユニットＲＵ１との間の距離は第２のユーザ装置ＵＥ２と無線ユニットＲＵ１との間の距離よりも小さいので、ＲＵ１がＵＥ１から受信する応答信号の強度（０．４）はＲＵ１がＵＥ２から受信する応答信号の強度（０．３）よりも大きい。同様に、ＲＵ１からのパイロット信号のブロードキャストとＵＥ１からの応答信号の受信との間の遅延（０．５）は、ＲＵ１からのパイロット信号のブロードキャストとＵＥ２からの応答信号の受信との間の遅延（０．９）よりも短い。
【００４５】
ＵＥ２はＲＵ１及びＲＵ２の両方のレンジ内に存在するので、ＵＥ２のエントリは両方の無線ユニットに関するデータを含む。ここで、ＵＥ２からのＲＵ２において受信される応答信号（０．６）はＲＵ１において受信される応答信号（０．３）よりも大きいことが理解できる。同じ結果が、ＵＥ２がこれら２つの無線ユニットから受信するパイロット信号の相対強度によって反映される。
【００４６】
応答信号においてエンコードされている情報に基づいて、コントローラは各ユーザ装置からの無線ユニットの距離に関して当該無線ユニットをランク付けできる。ユーザ装置ＵＥ１の場合には、レンジ内の唯一の無線ユニットがＲＵ１であるので、ＲＵ１は戦わずして距離ランキング１位を授与されるであろう。ＵＥ２の場合には、コントローラはＵＥ２がＲＵ１よりもＲＵ２に近接して配置されていると判定できる。従って、コントローラは、ＲＵ２に距離ランキング１位を割り当て、ＲＵ１にランキング２位を割り当てる。このやり方で、コントローラは、各ユーザ装置のネットワーク近隣(network neighborhood)の絵を作り上げることができる。
【００４７】
コントローラは、無線ユニットから受信されたデータを用いて干渉の効果を緩和してもよい。図１に示される例において、ＲＵ１はＵＥ１と通信しているが、ＲＵ２はＵＥ２と通信している。しかしながら、ＵＥ２はＵＥ１のレンジ内にも存在するので、ＲＵ２とＵＥ２との間の伝送がＲＵ１からの干渉を受けることがあり得る。例えば、ＲＵ１及びＲＵ２が別々の周波数（これらは、周波数スペクトル上で遠く離れて配置される）で伝送するのを保証することによって、このリスクは低減することができる。
【００４８】
コントローラは、図４の情報を用いて各無線ユニットＲＵ１及びＲＵ２に割り当てられるべきリソースブロックを判定してもよい。図５は、図１のコントローラによって編集されるリソース割り当てマトリクスの一例を示す。各無線ユニットＲＵ１、ＲＵ２は、伝送のために１つ以上の無線リソースブロック（ここで、各リソースブロックは１つ以上のサブキャリアのグループを備える）ＲＢ１、ＲＢ２、・・・、ＲＢＮを割り当てられ得る。マトリクスにおいて、１の値は特定のリソースブロックが無線ユニットに割り当てられることを示すために用いられるが、０の値はくだんの無線ユニットがそのリソースブロックを現在割り当てられていないことを示すために用いられる。図５の例において、第１の無線ユニットＲＵ１はリソースブロックＲＢ１を割り当てられているが、第２の無線ユニットＲＵ２はリソースブロックＲＢ２を割り当てられている。このやり方で、ユーザ装置は２つの無線ユニットの相異なる周波数に基づいて当該２つの無線ユニットから受信される信号をフィルタリングできるので、ユーザ装置ＵＥ２における干渉を低減することが可能である。
【００４９】
リソース割り当てマトリクスは、種々のユーザ装置の配置及び／または活動(activity)の変化に応じてコントローラによって更新されてもよい。
【００５０】
図６は、コントローラ１が、複数のハブユニットＨＵ１及びＨＵ２を介して無線ユニットと通信するマスタユニットＭＵの形式をとる実施形態を示す。ハブユニットは、コントローラと１つ以上の無線ユニットとの間の仲介として機能する。
【００５１】
この実施形態において、第１のペアの無線ユニットＲＵ１１及びＲＵ１２は両方とも第１のハブユニットＨＵ１を介して制御されるが、第２のペアの無線ユニットＲＵ２１及びＲＵ２２は第２のハブＨＵ２を介して制御される。無線ユニットＲＵ１１、ＲＵ１２、ＲＵ２１及びＲＵ２２は、それぞれの地理的なカバレッジエリア１１、１３、１５、１７を持つ。
【００５２】
第１のユーザ装置ＵＥ１は、第１の無線ユニットＲＵ１１のカバレッジエリア内に配置される。第２のユーザ装置ＵＥ２は、第１の無線ユニットＲＵ１１及び第２の無線ユニットＲＵ１２の両方のカバレッジエリア内に配置される。第３のユーザ装置ＵＥ３は、第１及び第２の無線ユニットＲＵ１１及びＲＵ１２、更には第３の無線ユニットＲＵ２１のカバレッジエリア内に配置される。ユーザ装置ＵＥ４は、第３の無線ユニットＲＵ２１のみのカバレッジエリア内に配置され、ＵＥ５は第３及び第４の無線ユニットＲＵ２１及びＲＵ２２の両方のレンジ内に存在する。
【００５３】
上述の実施形態と共通に、コントローラは、各無線ユニットにそのそれぞれの地理的なカバレッジエリア上でパイロット信号をブロードキャストするよう信号を送る。そのようにするために、コントローラＭＵはハブユニットＨＵ１及びＨＵ２に信号を送信し、次にはハブユニットＨＵ１及びＨＵ２がそのそれぞれのペアの無線ユニットＲＵ１１／ＲＵ１２及びＲＵ２１／ＲＵ２２にパイロット信号をブロードキャストさせるために当該無線ユニットへと信号を中継する。先のように、各無線ユニットは、そのそれぞれの地理的なカバレッジエリア内に配置されたユーザ装置から応答信号を受信するであろう。応答信号においてエンコードされている情報は、くだんの無線ユニットが接続されるそれぞれのハブユニットへと中継される。ハブユニットＨＵ１及びＨＵ２は、そのそれぞれのペアの無線ユニットＲＵ１１／ＲＵ１２及びＲＵ２１／ＲＵ２２からのデータを編集し、コントローラＭＵへとこれを中継する。各ハブユニットからコントローラへと送信される信号は、ハブユニットの識別子を含んでもよい。コントローラは、このようにすることで、いずれのユーザ装置が様々な無線ユニットのレンジ内に存在するかを判定できる。
【００５４】
図７は、各ユーザ装置から送信される応答信号においてエンコードされている情報の受信時にコントローラによって編集されるテーブルの一例を示す。各ユーザ装置ＵＥ１−ＵＥ５に関して、コントローラは以下のものを判定できる。  
ｉ）    ユーザ装置がそのレンジ内に存在する無線ユニット  
ｉｉ）  無線ユニットの各々からのユーザ装置の相対距離  
ｉｉｉ）個々のそれぞれの無線ユニットと通信するために用いられているハブユニット
例えば、図７のテーブルの行１を参照すると、ユーザ装置ＵＥ１は無線ユニットＲＵ１１だけのレンジ内に存在し、無線ユニットＲＵ１１はハブユニットＨＵ１に接続されている。対照的に、テーブルの行３を参照すると、ユーザ装置ＵＥ３はＲＵ１１及びＲＵ１２のレンジ内に存在すると理解され、ＲＵ１１及びＲＵ１２の両方がハブユニットＨＵ１を介してコントローラと通信している。ユーザ装置ＵＥ３は、ＲＵ２１のレンジ内にも存在し、ＲＵ２１はＨＵ２を介してコントローラにつなげられる。ユーザ装置によって受信されたパイロット信号の強度（または、無線ユニットによって受信された応答信号の強度）に基づいて、コントローラはユーザ装置が無線ユニットＲＵ１１に最も近く、続いてＲＵ１２、次にＲＵ２１に近いと判定できる。
【００５５】
先のように、コントローラは、図７に示される情報を用いてシステムのためのリソース割り当てマトリクスを更新してもよい。ユーザ装置が信号を検出できるのはいずれの近隣無線ユニットであるかを知ることにより、そしてこれら近隣無線ユニットが使用しているリソースを知ることにより、（もしあれば）潜在的な干渉源を識別することができる。この情報は、故に、干渉の影響を除去（可能な場合に）または最小化する目的で、リソース割り当て／再割り当て手続きを助ける。
【００５６】
例えば、図７に示される情報に基づいて、コントローラは、ユーザ装置ＵＥ３が３つの別々の無線ユニットＲＵ１１、ＲＵ１２及びＲＵ２１のレンジ内に存在すると判定できる。ＵＥ３における干渉を回避するために、コントローラは、無線ユニットＲＵ２１に割り当てるリソースブロックとは異なるリソースブロックを無線ユニットＲＵ１１及びＲＵ１２に最初に割り当てることができる。コントローラは、無線ユニットＲＵ１１及びＲＵ１２がそれら独自の異なる周波数帯をそれぞれ割り当てられるべきであると判定することも可能であり、さもなければそれら両局のレンジ内に依然として配置されるユーザ装置ＵＥ２において干渉が発生するリスクがある。
【００５７】
図８は、図６に示される実施形態のためのリソース割り当てマトリクスを示す。３つの無線ユニットＲＵ１１、ＲＵ１２及びＲＵ２１のそれぞれ１つが別々のリソースブロックを割り当てられており、このようにすることで、干渉がユーザ装置ＵＥ３及びＵＥ２において発生する機会は低減する。一方では、第４の無線ユニットＲＵ２２は、ＲＵ１１と同じリソースブロックを割り当てられている。無線ユニットＲＵ１１及びＲＵ２２の両方のカバレジエリア内に現在配置される単一のユーザ装置は存在しない（無線ユニットＲＵ２２のレンジ内に配置される唯一のデバイスはＵＥ５である）から、無線ユニットＲＵ１１及びＲＵ２２に同じリソースブロックを割り当てることは問題を起こさない。ＵＥ５は、ＲＵ２１のレンジ内にも配置されるが、ＲＵ２１はＲＵ１１のリソースブロックとは異なるリソースブロックを既に割り当てられている。故に、ＵＥ５の視点からすれば、ＲＵ１１と同じリソースブロックがＲＵ２２に割り当てられることにリスクはない。
【００５８】
故に、ここで記述された実施形態は、ユーザ装置周囲の無線近隣(radio neighborhood)（例えば、ユーザ装置が聞く(hear)ことのできる無線ユニット、ならびに、当該無線ユニットに現在割り当てられているリソース）に関する情報を提供する。結果的に、特定のユーザ装置に対していかなるリソースが割り当てられるべきかに関して、より良い、情報に基づいた決定をすることが可能である。例えば、ここに記述された実施形態は、コントローラが以下のものを明らかにする(establish)ことを可能にする。  
ｉ）    所与のユーザ装置の付近の他のハブユニット／無線ユニットはいずれか？  
ｉｉ）  ユーザ装置から最も近い／最も遠いのはこれらのうちいずれか？  
ｉｉｉ）これらのハブユニット／無線ユニットにおいて現在使用されているのはいかなるリソースか  
ｉｖ）  ユーザ装置に干渉をもたらし得る何らかの特定のリソースブロック割り当てがあるか？
ｖ）    これらのハブユニット／無線ユニットによって現在使用中でなく、かつ、ユーザ装置に割り当て可能なリソースがあるか？
これは、コントローラが典型的にはユーザ装置によって報告されるチャネル品質情報ＣＱＩに基づいて当該ユーザ装置にリソースを割り当てるであろう従来のＤＡＳシステムと好対照にある。
【００５９】
本発明のいくつかの実施形態を説明したが、これらの実施形態は、例として提示したものに過ぎず、発明の範囲を限定することは意図していない。実際、ここで説明されたこれら新規な方法、デバイス及びシステムは、様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2014090406.tif 000003
【図２】
2014090406.tif 000004
【図３】
2014090406.tif 000005
【図４】
2014090406.tif 000006
【図５】
2014090406.tif 000007
【図６】
2014090406.tif 000008
【図７】
2014090406.tif 000009
【図８】
2014090406.tif 000010
【外国語明細書】
2014090406000001.pdf